(57)【特許請求の範囲】
【請求項１】
端末装置と無線通信する複数の基地局装置を備える無線通信システムの基地局同期装置において、
基準の時刻信号を使用する第１の前記基地局装置から無線信号を受信する無線信号受信部と、
前記無線信号受信部が受信した無線信号から、前記基地局装置の同期に使用される同期信号を抽出する同期信号抽出部と、
前記基準の時刻信号以外の他の時刻信号を受信する時刻信号受信部と、
前記同期信号抽出部が抽出した同期信号と前記時刻信号受信部が受信した時刻信号とのタイミングのずれを補正する補正部と、
前記同期信号抽出部が抽出した同期信号を第２の前記基地局装置へ送信する同期信号送信部と、
前記補正部が補正した結果の時刻信号を前記第２の基地局装置へ送信する時刻信号送信部と、を備え、
前記時刻信号受信部は、
地上デジタルテレビ放送信号を含むＴＶ信号を受信するＴＶアンテナと、
前記ＴＶアンテナを介して、ＴＶ信号に含まれる地上デジタルテレビ放送信号を受信する地上デジタルテレビ放送信号受信部と、
前記地上デジタルテレビ放送信号受信部が受信した地上デジタルテレビ放送信号から時刻信号を抽出する時刻信号抽出部と、を備える、
基地局同期装置。
【請求項２】
端末装置と無線通信する複数の基地局装置を備える無線通信システムの前記基地局装置において、
自基地局装置とは異なる他の前記基地局装置であって基準の時刻信号を使用する他の前記基地局装置から無線信号を受信する無線信号受信部と、
前記無線信号受信部が受信した無線信号から、前記基地局装置の同期に使用される同期信号を抽出する同期信号抽出部と、
前記基準の時刻信号以外の他の時刻信号を受信する時刻信号受信部と、
前記同期信号抽出部が抽出した同期信号と前記時刻信号受信部が受信した時刻信号とのタイミングのずれを補正する補正部と、を備え、
前記時刻信号受信部は、
地上デジタルテレビ放送信号を含むＴＶ信号を受信するＴＶアンテナと、
前記ＴＶアンテナを介して、ＴＶ信号に含まれる地上デジタルテレビ放送信号を受信する地上デジタルテレビ放送信号受信部と、
前記地上デジタルテレビ放送信号受信部が受信した地上デジタルテレビ放送信号から時刻信号を抽出する時刻信号抽出部と、を備える、
基地局装置。
【請求項３】
端末装置と無線通信する複数の基地局装置を備える無線通信システムの基地局同期方法において、
無線信号受信部が、基準の時刻信号を使用する第１の前記基地局装置から無線信号を受信する無線信号受信ステップと、
同期信号抽出部が、前記無線信号受信部が受信した無線信号から、前記基地局装置の同期に使用される同期信号を抽出する同期信号抽出ステップと、
時刻信号受信部が、前記基準の時刻信号以外の他の時刻信号を受信する時刻信号受信ステップと、
補正部が、前記同期信号抽出部が抽出した同期信号と前記時刻信号受信部が受信した時刻信号とのタイミングのずれを補正する補正ステップと、
第２の前記基地局装置が、前記同期信号抽出部が抽出した同期信号を取得する同期信号取得ステップと、
前記第２の基地局装置が、前記補正部が補正した結果の時刻信号を取得する時刻信号取得ステップと、を含む基地局同期方法であって、
前記時刻信号受信部は、地上デジタルテレビ放送信号を含むＴＶ信号を受信するＴＶアンテナを介して、ＴＶ信号に含まれる地上デジタルテレビ放送信号を受信し、受信した地上デジタルテレビ放送信号から時刻信号を抽出する、
基地局同期方法。
【請求項４】
端末装置と無線通信する複数の基地局装置を備える無線通信システムの基地局同期装置のコンピュータに、
基準の時刻信号を使用する第１の前記基地局装置から無線信号を受信する無線信号受信機能と、
前記無線信号受信機能が受信した無線信号から、前記基地局装置の同期に使用される同期信号を抽出する同期信号抽出機能と、
前記基準の時刻信号以外の他の時刻信号を受信する時刻信号受信機能と、
前記同期信号抽出機能が抽出した同期信号と前記時刻信号受信機能が受信した時刻信号とのタイミングのずれを補正する補正機能と、
前記同期信号抽出機能が抽出した同期信号を第２の前記基地局装置へ送信する同期信号送信機能と、
前記補正機能が補正した結果の時刻信号を前記第２の基地局装置へ送信する時刻信号送信機能と、を実現させるためのコンピュータプログラムであって、
前記時刻信号受信機能は、地上デジタルテレビ放送信号を含むＴＶ信号を受信するＴＶアンテナを介して、ＴＶ信号に含まれる地上デジタルテレビ放送信号を受信し、受信した地上デジタルテレビ放送信号から時刻信号を抽出する、
コンピュータプログラム。
【請求項５】
端末装置と無線通信する複数の基地局装置を備える無線通信システムの前記基地局装置のコンピュータに、
自基地局装置とは異なる他の前記基地局装置であって基準の時刻信号を使用する他の前記基地局装置から無線信号を受信する無線信号受信機能と、
前記無線信号受信機能が受信した無線信号から、前記基地局装置の同期に使用される同期信号を抽出する同期信号抽出機能と、
前記基準の時刻信号以外の他の時刻信号を受信する時刻信号受信機能と、
前記同期信号抽出機能が抽出した同期信号と前記時刻信号受信機能が受信した時刻信号とのタイミングのずれを補正する補正機能と、を実現させるためのコンピュータプログラムであって、
前記時刻信号受信機能は、地上デジタルテレビ放送信号を含むＴＶ信号を受信するＴＶアンテナを介して、ＴＶ信号に含まれる地上デジタルテレビ放送信号を受信し、受信した地上デジタルテレビ放送信号から時刻信号を抽出する、
コンピュータプログラム。
【発明の詳細な説明】
【技術分野】
【０００１】
本発明は、基地局同期装置、基地局装置、基地局同期方法及びコンピュータプログラムに関する。
【背景技術】
【０００２】
一般に無線通信システムでは、端末装置と無線通信する複数の基地局装置が同期することによって、通信サービスを提供している。また、複数の基地局装置から同時刻にデータを端末装置へ送信することによってユーザへ提供するサービスとして、例えば、位置情報サービス（LCS：Location Service）、ｅＭＢＭＳ（enhanced Multimedia Broadcast/Multicast Service）、「CS Fallback（Circuit Switch Fallback to 1x Radio Transmission Technology）」などが知られている。
【０００３】
特許文献１には、無線通信システムに備わる複数の基地局装置が同じ時刻を共有するための従来技術が開示されている。特許文献１の従来技術では、ＧＰＳ（Global Positioning System）信号を受信可能な状態にある基地局装置をマスター基地局に決定し、マスター基地局がＧＰＳ信号からＴｏＤ（Time of Day）情報を生成し、マスター基地局からマスター基地局以外の基地局装置へＴｏＤ情報を送信している。ＧＰＳ信号は、ＴｏＤ情報と１ｐｐｓ（Pulse Per Second）信号とを含む。ＴｏＤ情報で示される時刻の正確なタイミングは１ｐｐｓ信号により示される。これにより、特許文献１の従来技術によれば、ＧＰＳ信号からＴｏＤ情報を生成する際に、該ＧＰＳ信号に含まれる１ｐｐｓ信号を使用することによって、ＴｏＤ情報で示される時刻のタイミングを正確に合わせることができる。
【先行技術文献】
【特許文献】
【０００４】
【特許文献１】特許第５３１６９５７号公報
【発明の概要】
【発明が解決しようとする課題】
【０００５】
特許文献１の従来技術では、マスター基地局がＧＰＳ信号からＴｏＤ情報を生成してマスター基地局以外の基地局装置へ送信するので、マスター基地局のＴｏＤ情報の配信の負担が重くなる可能性があった。一方、ＧＰＳ信号を受信できない状態にある基地局装置は、ＧＰＳ信号からＴｏＤ情報を生成することができない。
【０００６】
この対処として、ＧＰＳ信号を受信できない状態にある基地局装置は、ＧＰＳ信号以外の他の時刻信号を使用することが考えられる。しかしながら、ＧＰＳ信号以外の他の時刻信号はＧＰＳ信号から生成されたＴｏＤ情報とは同期しないことが想定される。すると、ＧＰＳ信号以外の他の時刻信号を使用する基地局装置と、ＧＰＳ信号から生成されたＴｏＤ情報を使用する基地局装置とでは時刻の同期の精度が悪いために、複数の基地局装置から同時刻にデータを端末装置へ送信することによってユーザへ提供するサービスを実施できない可能性があった。
【０００７】
本発明は、このような事情を考慮してなされたものであり、ＧＰＳ信号等の基準の時刻信号を使用する基地局装置と、基準の時刻信号以外の他の時刻信号を使用する基地局装置とで時刻の同期の精度を向上させることができる基地局同期装置、基地局装置、基地局同期方法及びコンピュータプログラムを提供することを課題とする。
【課題を解決するための手段】
【０００８】
（１）本発明の一態様は、端末装置と無線通信する複数の基地局装置を備える無線通信システムの基地局同期装置において、基準の時刻信号を使用する第１の前記基地局装置から無線信号を受信する無線信号受信部と、前記無線信号受信部が受信した無線信号から、前記基地局装置の同期に使用される同期信号を抽出する同期信号抽出部と、前記基準の時刻信号以外の他の時刻信号を受信する時刻信号受信部と、前記同期信号抽出部が抽出した同期信号と前記時刻信号受信部が受信した時刻信号とのタイミングのずれを補正する補正部と、前記同期信号抽出部が抽出した同期信号を第２の前記基地局装置へ送信する同期信号送信部と、前記補正部が補正した結果の時刻信号を前記第２の基地局装置へ送信する時刻信号送信部と、を備え、前記時刻信号受信部は、地上デジタルテレビ放送信号を含むＴＶ信号を受信するＴＶアンテナと、前記ＴＶアンテナを介して、ＴＶ信号に含まれる地上デジタルテレビ放送信号を受信する地上デジタルテレビ放送信号受信部と、前記地上デジタルテレビ放送信号受信部が受信した地上デジタルテレビ放送信号から時刻信号を抽出する時刻信号抽出部と、を備える、基地局同期装置である。
【０００９】
（２）本発明の一態様は、端末装置と無線通信する複数の基地局装置を備える無線通信システムの前記基地局装置において、自基地局装置とは異なる他の前記基地局装置であって基準の時刻信号を使用する他の前記基地局装置から無線信号を受信する無線信号受信部と、前記無線信号受信部が受信した無線信号から、前記基地局装置の同期に使用される同期信号を抽出する同期信号抽出部と、前記基準の時刻信号以外の他の時刻信号を受信する時刻信号受信部と、前記同期信号抽出部が抽出した同期信号と前記時刻信号受信部が受信した時刻信号とのタイミングのずれを補正する補正部と、を備え、前記時刻信号受信部は、地上デジタルテレビ放送信号を含むＴＶ信号を受信するＴＶアンテナと、前記ＴＶアンテナを介して、ＴＶ信号に含まれる地上デジタルテレビ放送信号を受信する地上デジタルテレビ放送信号受信部と、前記地上デジタルテレビ放送信号受信部が受信した地上デジタルテレビ放送信号から時刻信号を抽出する時刻信号抽出部と、を備える、基地局装置である。
【００１０】
（３）本発明の一態様は、端末装置と無線通信する複数の基地局装置を備える無線通信システムの基地局同期方法において、無線信号受信部が、基準の時刻信号を使用する第１の前記基地局装置から無線信号を受信する無線信号受信ステップと、同期信号抽出部が、前記無線信号受信部が受信した無線信号から、前記基地局装置の同期に使用される同期信号を抽出する同期信号抽出ステップと、時刻信号受信部が、前記基準の時刻信号以外の他の時刻信号を受信する時刻信号受信ステップと、補正部が、前記同期信号抽出部が抽出した同期信号と前記時刻信号受信部が受信した時刻信号とのタイミングのずれを補正する補正ステップと、第２の前記基地局装置が、前記同期信号抽出部が抽出した同期信号を取得する同期信号取得ステップと、前記第２の基地局装置が、前記補正部が補正した結果の時刻信号を取得する時刻信号取得ステップと、を含む基地局同期方法であって、前記時刻信号受信部は、地上デジタルテレビ放送信号を含むＴＶ信号を受信するＴＶアンテナを介して、ＴＶ信号に含まれる地上デジタルテレビ放送信号を受信し、受信した地上デジタルテレビ放送信号から時刻信号を抽出する、基地局同期方法である。
【００１１】
（４）本発明の一態様は、端末装置と無線通信する複数の基地局装置を備える無線通信システムの基地局同期装置のコンピュータに、基準の時刻信号を使用する第１の前記基地局装置から無線信号を受信する無線信号受信機能と、前記無線信号受信機能が受信した無線信号から、前記基地局装置の同期に使用される同期信号を抽出する同期信号抽出機能と、前記基準の時刻信号以外の他の時刻信号を受信する時刻信号受信機能と、前記同期信号抽出機能が抽出した同期信号と前記時刻信号受信機能が受信した時刻信号とのタイミングのずれを補正する補正機能と、前記同期信号抽出機能が抽出した同期信号を第２の前記基地局装置へ送信する同期信号送信機能と、前記補正機能が補正した結果の時刻信号を前記第２の基地局装置へ送信する時刻信号送信機能と、を実現させるためのコンピュータプログラムであって、前記時刻信号受信機能は、地上デジタルテレビ放送信号を含むＴＶ信号を受信するＴＶアンテナを介して、ＴＶ信号に含まれる地上デジタルテレビ放送信号を受信し、受信した地上デジタルテレビ放送信号から時刻信号を抽出する、コンピュータプログラムである。
【００１２】
（５）本発明の一態様は、端末装置と無線通信する複数の基地局装置を備える無線通信システムの前記基地局装置のコンピュータに、自基地局装置とは異なる他の前記基地局装置であって基準の時刻信号を使用する他の前記基地局装置から無線信号を受信する無線信号受信機能と、前記無線信号受信機能が受信した無線信号から、前記基地局装置の同期に使用される同期信号を抽出する同期信号抽出機能と、前記基準の時刻信号以外の他の時刻信号を受信する時刻信号受信機能と、前記同期信号抽出機能が抽出した同期信号と前記時刻信号受信機能が受信した時刻信号とのタイミングのずれを補正する補正機能と、を実現させるためのコンピュータプログラムであって、前記時刻信号受信機能は、地上デジタルテレビ放送信号を含むＴＶ信号を受信するＴＶアンテナを介して、ＴＶ信号に含まれる地上デジタルテレビ放送信号を受信し、受信した地上デジタルテレビ放送信号から時刻信号を抽出する、コンピュータプログラムである。
【発明の効果】
【００１３】
本発明によれば、ＧＰＳ信号等の基準の時刻信号を使用する基地局装置と、基準の時刻信号以外の他の時刻信号を使用する基地局装置とで時刻の同期の精度を向上させることができるという効果が得られる。
【図面の簡単な説明】
【００１４】
【図１】一実施形態に係る無線通信システム１を示す構成図である。
【図２】一実施形態に係る補正部１５の動作の説明図である。
【図３】一実施形態に係る基地局同期方法のフローチャートである。
【図４】一実施形態に係る時刻信号受信部１４の構成例を示す図である。
【図５】一実施形態に係る時刻信号受信部１４の構成例を示す図である。
【図６】一実施形態に係る無線通信システム１ａを示す構成図である。
【図７】一実施形態に係る基地局同期方法のフローチャートである。
【発明を実施するための形態】
【００１５】
以下、図面を参照し、本発明の実施形態について説明する。
【００１６】
［第１実施形態］
図１は、第１実施形態に係る無線通信システム１を示す構成図である。図１において、無線通信システム１は、複数の基地局装置ＢＳ１，ＢＳ２と、端末装置ＭＳと、基地局同期装置１０とを備える。基地局装置ＢＳ１，ＢＳ２は、端末装置ＭＳと無線通信する。
【００１７】
基地局装置ＢＳ１は、人工衛星１００が送信するＧＰＳ信号を受信することができる。ＧＰＳ信号を受信することができる複数の基地局装置ＢＳ１は、ＧＰＳ信号に含まれるＴｏＤ情報と１ｐｐｓ信号とを使用して、１ｐｐｓ信号に同期した同じ時刻を共有することができる。一方、基地局装置ＢＳ２は、人工衛星１００が送信するＧＰＳ信号を受信することができない。基地局装置ＢＳ２は、例えば、地下や建物内部など、人工衛星１００が送信した電波が届かない場所に設置されている。このため、基地局装置ＢＳ２は、ＧＰＳ信号を使用して、１ｐｐｓ信号に同期した同じ時刻を基地局装置ＢＳ１と共有することができない。
【００１８】
基地局同期装置１０は、無線信号受信部１１と、同期信号抽出部１２と、同期信号送信部１３と、時刻信号受信部１４と、補正部１５と、時刻信号送信部１６と、を備える。基地局同期装置１０と基地局装置ＢＳ２とは、同軸ケーブル等の通信ケーブルで接続されている。
【００１９】
無線信号受信部１１は、アンテナＡＮＴを備える。無線信号受信部１１は、アンテナＡＮＴを介して、基地局装置ＢＳ１から無線信号を受信する。同期信号抽出部１２は、無線信号受信部１１が受信した無線信号から、同期信号Ａを抽出する。同期信号送信部１３は、同期信号抽出部１２が抽出した同期信号Ａを基地局装置ＢＳ２へ送信する。また、同期信号送信部１３は、同期信号抽出部１２が抽出した同期信号Ａを補正部１５へ出力する。
【００２０】
同期信号Ａは、無線通信システム１の基地局装置の同期に使用される信号である。同期信号Ａは、基地局装置ＢＳ１によって、ＧＰＳ信号に含まれる１ｐｐｓ信号から生成される。したがって、同期信号Ａは、ＧＰＳ信号に含まれる１ｐｐｓ信号に同期している。基地局装置ＢＳ１は、同期信号Ａを含む無線信号を送信する。同期信号Ａを含む無線信号は、アンテナＡＮＴを介して無線信号受信部１１で受信される。同期信号抽出部１２によって無線信号から抽出された同期信号Ａは、同期信号送信部１３によって基地局装置ＢＳ２へ送信される。基地局装置ＢＳ２は、基地局同期装置１０から同期信号Ａを受信する。基地局装置ＢＳ２は、基地局同期装置１０から受信した同期信号Ａによって、基地局装置ＢＳ１と同期を取ることができる。
【００２１】
時刻信号受信部１４は、外部装置１１０から時刻信号を受信する。外部装置１１０は、無線通信システム１の外部に設けられている。外部装置１１０は無線通信システム１の外部に設けられているので、外部装置１１０が送信する時刻信号は同期信号Ａと同期していない。時刻信号受信部１４は、外部装置１１０から受信した時刻信号Ｂ１を補正部１５へ出力する。補正部１５は、同期信号抽出部１２が抽出した同期信号Ａと時刻信号受信部１４が受信した時刻信号Ｂ１とのタイミングのずれを補正する。補正部１５は、該補正後の時刻信号Ｂ２を時刻信号送信部１６へ出力する。時刻信号送信部１６は、補正部１５が補正した結果の時刻信号Ｂ２を基地局装置ＢＳ２へ送信する。
【００２２】
時刻信号Ｂ２は、補正部１５によって、同期信号Ａとのタイミングのずれが補正されている。したがって、時刻信号Ｂ２は、同期信号Ａに同期している。これにより、基地局装置ＢＳ２は、基地局同期装置１０から受信した時刻信号Ｂ２によって、基地局装置ＢＳ１と同じ時刻を共有することができる。
【００２３】
図２は、本実施形態に係る補正部１５の動作の説明図である。図２において、時刻信号Ｂ１は、１秒間隔で時刻を通知する信号である。図２の例では、時刻信号Ｂ１は、１６時１９分００秒、次いで１６時１９分０１秒、次いで１６時１９分０２秒を通知している。その時刻信号Ｂ１は、同期信号Ａとはタイミングがずれている。補正部１５は、時刻信号Ｂ１のタイミングを同期信号Ａに合わせる補正を行う。この補正後の時刻信号Ｂ２は、同期信号Ａとタイミングが合っている。補正部１５は、該補正後の時刻信号Ｂ２を時刻信号送信部１６へ出力する。
【００２４】
図３は、本実施形態に係る基地局同期方法のフローチャートである。図３を参照して本実施形態に係る基地局同期装置１０の動作を説明する。
【００２５】
（ステップＳ１）無線信号受信部１１は、アンテナＡＮＴを介して、基地局装置ＢＳ１から無線信号を受信する。
（ステップＳ２）同期信号抽出部１２は、無線信号受信部１１が受信した無線信号から、同期信号Ａを抽出する。
【００２６】
（ステップＳ３）時刻信号受信部１４は、外部装置１１０から時刻信号を受信する。時刻信号受信部１４は、外部装置１１０から受信した時刻信号Ｂ１を補正部１５へ出力する。
（ステップＳ４）補正部１５は、同期信号抽出部１２が抽出した同期信号Ａと時刻信号受信部１４が受信した時刻信号Ｂ１とのタイミングのずれを補正する。
（ステップＳ５）時刻信号送信部１６は、補正部１５が補正した結果の時刻信号Ｂ２を基地局装置ＢＳ２へ送信する。
【００２７】
（ステップＳ６）基地局同期装置１０は図３の処理の終了を判断する。この判断の結果、終了である場合には本処理を終了し、そうではない場合にはステップＳ１に戻る。
【００２８】
図４及び図５は、本実施形態に係る時刻信号受信部１４の構成例を示す図である。まず図４を参照して時刻信号受信部１４の第１実施例を説明する。第１実施例では、外部装置１１０はテレビジョン（ＴＶ）信号送信所１１０ａである。ＴＶ信号送信所１１０ａは、ＴＶ信号を送信する。ＴＶ信号は、地上デジタルテレビ放送信号を含む。
【００２９】
図４において、時刻信号受信部１４は、ＴＶアンテナＡＮＴｔｖと、地上デジタルテレビ放送信号受信部２１と、時刻信号抽出部２２とを備える。ＴＶ信号を受信するＴＶアンテナＡＮＴｔｖと基地局設備に含まれる地上デジタルテレビ放送信号受信部２１との間の伝送区間には伝送遅延が生じる。よって、基地局同期装置１０がＴＶ信号送信所１１０ａから受信した時刻信号は、該伝送区間における伝送遅延を有する信号となる。地上デジタルテレビ放送信号受信部２１は、ＴＶアンテナＡＮＴｔｖを介して、ＴＶ信号に含まれる地上デジタルテレビ放送信号を受信する。時刻信号抽出部２２は、地上デジタルテレビ放送信号受信部２１が受信した地上デジタルテレビ放送信号から、時刻信号Ｂ１を抽出する。時刻信号抽出部２２は、該抽出した時刻信号Ｂ１を補正部１５へ出力する。
【００３０】
次に図５を参照して時刻信号受信部１４の第２実施例を説明する。第２実施例では、外部装置１１０は時刻配信サーバ１１０ｂである。時刻配信サーバ１１０ｂは、例えばインターネット等の通信ネットワーク１２０を介して時刻信号を配信する。時刻配信サーバ１１０ｂから送信された時刻信号は、通信ネットワーク１２０における伝送遅延が付加されて基地局同期装置１０に到達する。一般に通信ネットワーク１２０における伝送遅延は揺らぐので、基地局同期装置１０が時刻配信サーバ１１０ｂから受信した時刻信号は、通信ネットワーク１２０における伝送遅延及び伝送遅延の揺らぎを有する信号となる。時刻配信サーバ１１０ｂとして、例えば「IEEE1588」技術や、「NTP」技術などを適用できる。
【００３１】
図５において、時刻信号受信部１４は、ネットワークインタフェース３１と、時刻信号抽出部３２とを備える。ネットワークインタフェース３１は、通信ネットワーク１２０を介して、時刻配信サーバ１１０ｂとデータを送受する。時刻信号抽出部３２は、ネットワークインタフェース３１が通信ネットワーク１２０を介して時刻配信サーバ１１０ｂから受信したデータから、時刻信号Ｂ１を抽出する。時刻信号抽出部３２は、該抽出した時刻信号Ｂ１を補正部１５へ出力する。
【００３２】
なお、上述した図４及び図５の時刻信号受信部１４の構成例以外に、例えば、電波時計の構成を時刻信号受信部１４に適用してもよい。電波時計とは、例えば長波帯で送信される「JJY（登録商標）」等の標準電波を受信して時刻の補正を行う時計のことを言う。
【００３３】
上述した実施形態よれば、基地局同期装置１０は、ＧＰＳ信号を受信できる状態にある基地局装置ＢＳ１から受信した無線信号から同期信号Ａを抽出し、外部装置１１０から受信した時刻信号Ｂ１のタイミングを同期信号Ａに合わせる補正を行う。そして、基地局同期装置１０は、同期信号Ａと、同期信号Ａのタイミングに合っている時刻信号Ｂ２とを、ＧＰＳ信号を受信できない状態にある基地局装置ＢＳ２へ送信する。基地局装置ＢＳ２は、基地局同期装置１０から受信した同期信号Ａによって、基地局装置ＢＳ１と同期を取ることができる。また、基地局装置ＢＳ２は、基地局同期装置１０から受信した時刻信号Ｂ２によって、基地局装置ＢＳ１と同じ時刻を共有することができる。これにより、ＧＰＳ信号（基準の時刻信号）を使用する基地局装置ＢＳ１と、ＧＰＳ信号以外の他の時刻信号を使用する基地局装置ＢＳ２とで時刻の同期の精度を向上させることができるという効果が得られる。
【００３４】
本実施形態によれば、ＧＰＳ信号（基準の時刻信号）を使用する基地局装置ＢＳ１と、ＧＰＳ信号以外の他の時刻信号を使用する基地局装置ＢＳ２とで時刻の同期の精度を向上するので、複数の基地局装置から同時刻にデータを端末装置へ送信することによってユーザへ提供するサービスの実施に寄与できる。例えば、位置情報サービス（LCS：Location Service）、ｅＭＢＭＳ（enhanced Multimedia Broadcast/Multicast Service）、「CS Fallback（Circuit Switch Fallback to 1x Radio Transmission Technology）」などの実施に寄与できる。
【００３５】
なお、本実施形態において、基地局装置ＢＳ１は第１の基地局装置に対応し、基地局装置ＢＳ２は第２の基地局装置に対応する。また、ＧＰＳ信号は基準の時刻信号に対応し、外部装置１１０が送信する時刻信号は基準の時刻信号以外の他の時刻信号に対応する。
【００３６】
［第２実施形態］
図６は、第２実施形態に係る無線通信システム１ａを示す構成図である。図６において、図１の各部に対応する部分には同一の符号を付け、その説明を省略する。以下、第１実施形態と異なる点を主に説明する。
【００３７】
図６において、無線通信システム１ａは、複数の基地局装置ＢＳ１，ＢＳ２ａと、端末装置ＭＳとを備える。第２実施形態では、基地局装置ＢＳ２ａは、第１実施形態に係る基地局装置ＢＳ２の機能と、基地局同期装置１０の機能とを有する。
【００３８】
基地局装置ＢＳ２ａにおいて、基地局部ＢＳ２は、第１実施形態に係る基地局装置ＢＳ２の機能を有する。基地局部ＢＳ２は、端末装置ＭＳと無線通信する。同期信号送信部１３は、同期信号抽出部１２が抽出した同期信号Ａを基地局部ＢＳ２へ送信する。時刻信号送信部１６は、補正部１５が補正した結果の時刻信号Ｂ２を基地局部ＢＳ２へ送信する。基地局部ＢＳ２は、同期信号送信部１３から受信した同期信号Ａによって、基地局装置ＢＳ１と同期を取ることができる。基地局部ＢＳ２は、時刻信号送信部１６から受信した時刻信号Ｂ２によって、基地局装置ＢＳ１と同じ時刻を共有することができる。
【００３９】
図７を参照して本実施形態に係る基地局装置ＢＳ２ａの動作を説明する。図７は、本実施形態に係る基地局同期方法のフローチャートである。図７において、図３の各ステップに対応する部分には同一の符号を付け、その説明を省略する。以下、第１実施形態と異なる点を主に説明する。
【００４０】
（ステップＳ１１）基地局部ＢＳ２は、ＧＰＳ信号を受信できる否かを判断する。この判断の結果、ＧＰＳ信号を受信できる場合にはステップＳ１２へ進み、そうではない場合にはステップＳ１３へ進む。
【００４１】
（ステップＳ１２）基地局部ＢＳ２は、自己が人工衛星１００から受信したＧＰＳ信号から、同期信号及び時刻信号を生成する。これにより、基地局部ＢＳ２は、ＧＰＳ信号から生成した同期信号によって、基地局装置ＢＳ１と同期を取ることができる。また、基地局部ＢＳ２は、ＧＰＳ信号から生成した時刻信号によって、基地局装置ＢＳ１と同じ時刻を共有することができる。よって、基地局部ＢＳ２は、動作可能な状態となる。
【００４２】
（ステップＳ１３）基地局部ＢＳ２は、他の基地局装置ＢＳ１の無線信号を受信できる否かを判断する。この判断の結果、他の基地局装置ＢＳ１の無線信号を受信できる場合にはステップＳ１へ進む。一方、他の基地局装置ＢＳ１の無線信号を受信できない場合には、本処理を終了する。ＧＰＳ信号も他の基地局装置ＢＳ１の無線信号も受信できない場合には、基地局部ＢＳ２は、他の基地局装置ＢＳ１と同期を取ることができないので、動作不可の状態となる。
【００４３】
ステップＳ１からＳ４は、図３に示す第１実施形態と同様である。
（ステップＳ１４）同期信号送信部１３は、同期信号抽出部１２が抽出した同期信号Ａを基地局部ＢＳ２へ送信する。時刻信号送信部１６は、補正部１５が補正した結果の時刻信号Ｂ２を基地局部ＢＳ２へ送信する。これにより、基地局部ＢＳ２は、同期信号送信部１３から受信した同期信号Ａによって、基地局装置ＢＳ１と同期を取ることができる。また、基地局部ＢＳ２は、時刻信号送信部１６から受信した時刻信号Ｂ２によって、基地局装置ＢＳ１と同じ時刻を共有することができる。よって、基地局部ＢＳ２は、動作可能な状態となる。
【００４４】
本実施形態によれば、基地局同期装置１０と基地局装置ＢＳ２との両方の機能を一つの基地局装置ＢＳ２ａとして実現できる。
【００４５】
以上、本発明の実施形態について図面を参照して詳述してきたが、具体的な構成はこの実施形態に限られるものではなく、本発明の要旨を逸脱しない範囲の設計変更等も含まれる。
【００４６】
例えば、上述した実施形態の無線通信システムとして、３ＧＰＰ（3rd Generation Partnership Project）で規定されるＬＴＥ（Long Term Evolution）と呼ばれる無線通信システム（以下、ＬＴＥシステムと称する）に適用できる。ＬＴＥシステムの一例として、例えばＧＰＳ信号によって基地局装置の時刻の同期を行うものが挙げられる。また、ＬＴＥシステムの基地局装置は、ＲＩＢＳ（Radio Interface Based Synchronization）技術によって、自己以外の他の基地局装置から受信した無線信号から自己の動作に必要な同期信号を抽出することができる。上述した実施形態を該ＬＴＥシステムの一例に適用する場合、同期信号抽出部１２は、ＲＩＢＳ技術によって、基地局装置ＢＳ１の無線信号から同期信号Ａを抽出する。上述した実施形態によれば、該ＬＴＥシステムの一例において、外部装置１１０が配信した時刻信号を、ＲＩＢＳ技術によって基地局装置ＢＳ１の無線信号から抽出した同期信号Ａのタイミングに合わせてから、ＧＰＳ信号を受信できない状態にある基地局装置ＢＳ２に供給することができる。
【００４７】
また、上述した基地局同期装置１０又は基地局装置ＢＳ２ａの機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００４８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４９】
１，１ａ…無線通信システム、１０…基地局同期装置、１１…無線信号受信部、１２…同期信号抽出部、１３…同期信号送信部、１４…時刻信号受信部、１５…補正部、１６…時刻信号送信部、２１…地上デジタルテレビ放送信号受信部、２２，３２…時刻信号抽出部、３１…ネットワークインタフェース、１００…人工衛星、１１０…外部装置、１１０ａ…ＴＶ信号送信所、１１０ｂ…時刻配信サーバ、ＡＮＴ…アンテナ、ＡＮＴｔｖ…ＴＶアンテナ、ＢＳ１，ＢＳ２ａ…基地局装置、ＢＳ２…基地局装置（基地局部）、ＭＳ…端末装置
【図１】
0006581930.tif 000002
【図２】
0006581930.tif 000003
【図３】
0006581930.tif 000004
【図４】
0006581930.tif 000005
【図５】
0006581930.tif 000006
【図６】
0006581930.tif 000007
【図７】
0006581930.tif 000008